(57)【要約】【課題】店舗の会計時に行うくじ引きを効率よく行うことができる端末装置を提供する。【解決手段】端末装置は、抽選券情報記憶媒体から、くじ引きの抽選権を有することを示す抽選券情報を読み取り、前記抽選券情報が有効な場合、対価情報を顧客に割り当てる対価情報割当処理を行い、対価情報割当処理によって特定した対価情報を出力する。【選択図】図１
2019105999.tif 000002
【特許請求の範囲】
【請求項１】
抽選券情報記憶媒体から、くじ引きの抽選権を有することを示す抽選券情報を取得する抽選券情報取得部と、
前記抽選券情報が有効な場合、対価情報を顧客に割り当てる対価情報割当処理を行う対価情報割当処理部と、
前記対価情報割当処理によって特定した対価情報を出力する対価情報出力部と、
を備える端末装置。
【請求項２】
前記対価情報割当処理部は、前記抽選券情報に含まれる前記抽選券情報を生成したレジ端末の識別情報に基づいて前記抽選券情報が有効か否かを判定する、
請求項１に記載の端末装置。
【請求項３】
前記対価情報割当処理部は、前記抽選券情報に含まれる抽選券情報を出力した時刻および場所の情報のうち少なくとも一方に基づいて、前記対価情報割当処理を行うか否かを判定する、
請求項１または請求項２に記載の端末装置。
【請求項４】
前記抽選券情報取得部は、レジ端末が発行した紙媒体に表示された前記抽選券情報を読みとる、
請求項１から請求項３の何れか１項に記載の端末装置。
【請求項５】
前記抽選券情報取得部は、携帯端末から前記抽選券情報を読みとる、
請求項１から請求項４の何れか１項に記載の端末装置。
【請求項６】
抽選券情報記憶媒体から、くじ引きの抽選権を有することを示す抽選券情報を取得する抽選券情報取得部と、
前記抽選券情報が有効な場合、対価情報を顧客に割り当てる対価情報割当処理を行う対価情報割当処理部と、
前記対価情報割当処理によって特定した対価情報を出力する対価情報出力部と、
を備える現金自動預払機。
【請求項７】
前記抽選券情報を、前記抽選券情報記憶媒体へ出力するレジ端末と、
請求項１から請求項５の何れか１項に記載の端末装置と、
を含むくじ引きシステム。
【請求項８】
自端末の識別情報と、くじ引きの抽選権を有することを示す抽選券情報とを抽選券情報記憶媒体に出力する、レジ端末。
【請求項９】
抽選券情報記憶媒体から、くじ引きの抽選権を有することを示す抽選券情報を取得するステップと、
前記抽選券情報が有効な場合、対価情報を顧客に割り当てる対価情報割当処理を行うステップと、
前記対価情報割当処理によって特定した対価情報を出力するステップと、
を有する端末装置によるくじ引き処理方法。
【請求項１０】
端末装置のコンピュータを、
抽選券情報記憶媒体から、くじ引きの抽選権を有することを示す抽選券情報を取得する手段、
前記抽選券情報が有効な場合、対価情報を顧客に割り当てる対価情報割当処理を行う手段、
前記対価情報割当処理によって特定した対価情報を出力する手段、
として機能させるためのプログラム。
【発明の詳細な説明】
【技術分野】
【０００１】
本発明は、端末装置、現金自動預払機、くじ引きシステム、レジ端末、端末装置によるくじ引き処理方法及びプログラムに関する。
【背景技術】
【０００２】
スーパーマーケットやコンビニエンスストア等では、利用者が商品を購入した際に、くじ引きの抽選券を渡すことがある。抽選券を渡された利用者は、その場で、あるいは店頭にてくじを引いて、その結果に応じた商品や商品券、旅行券などを入手することができる。関連する技術として特許文献１には、くじ抽選券に印字されたバーコードを、店舗のレジでバーコードリーダを用いて読み取ってくじ引きを行う福引抽選システムが開示されている。
【先行技術文献】
【特許文献】
【０００３】
【特許文献１】特開２００４−２１６８４号公報
【発明の概要】
【発明が解決しようとする課題】
【０００４】
上述したくじ引きの方法では、利用者にくじを引かせたり、くじ引きの結果に応じて商品を手渡したりする店員が必要になる。すると、店員を増やしたり、店員の作業が増えたり、レジでくじ引きを行う場合はレジの回転が悪くなったりするといった影響が生じる可能性がある。
【０００５】
そこでこの発明は、上述の課題を解決する端末装置、現金自動預払機、くじ引きシステム、レジ端末、端末装置によるくじ引き処理方法及びプログラムを提供することを目的としている。
【課題を解決するための手段】
【０００６】
本発明の第１の態様によれば、端末装置は、抽選券情報記憶媒体から、くじ引きの抽選権を有することを示す抽選券情報を取得する抽選券情報取得部と、前記抽選券情報が有効な場合、対価情報を顧客に割り当てる対価情報割当処理を行う対価情報割当処理部と、前記対価情報割当処理によって特定した対価情報を出力する対価情報出力部と、を備える。
【０００７】
本発明の第２の態様によれば、現金自動預払機は、抽選券情報記憶媒体から、くじ引きの抽選権を有することを示す抽選券情報を取得する抽選券情報取得部と、前記抽選券情報が有効な場合、対価情報を顧客に割り当てる対価情報割当処理を行う対価情報割当処理部と、前記対価情報割当処理によって特定した対価情報を出力する対価情報出力部と、を備える。
【０００８】
本発明の第３の態様によれば、くじ引きシステムは、前記抽選券情報を前記抽選券情報記憶媒体へ出力するレジ端末と、上記の端末装置と、を含む。
【０００９】
本発明の第４の態様によれば、レジ端末は、自端末の識別情報と、くじ引きの抽選権を有することを示す抽選券情報とを抽選券情報記憶媒体に出力する。
【００１０】
本発明の第５の態様によれば、端末装置によるくじ引き処理方法は、抽選券情報記憶媒体から、くじ引きの抽選権を有することを示す抽選券情報を取得するステップと、前記抽選券情報が有効な場合、対価情報を顧客に割り当てる対価情報割当処理を行うステップと、前記対価情報割当処理によって特定した対価情報を出力するステップと、を有する。
【００１１】
本発明の第６の態様によれば、プログラムは、端末装置のコンピュータを、抽選券情報記憶媒体から、くじ引きの抽選権を有することを示す抽選券情報を取得する手段、前記抽選券情報が有効な場合、対価情報を顧客に割り当てる対価情報割当処理を行う手段、前記対価情報割当処理によって特定した対価情報を出力する手段、として機能させる。
【発明の効果】
【００１２】
本発明の現金自動預払機によれば、店舗で行うくじ引きを、店員に負担をかけずに効率よく行うことができる。
【図面の簡単な説明】
【００１３】
【図１】本発明の一実施形態によるくじ引きシステムの概要を示す図である。
【図２】本発明の一実施形態による現金自動預払機のインタフェースの一部を示す図である。
【図３】本発明の一実施形態による現金自動預払機の制御装置のハードウェア構成図である。
【図４】本発明の一実施形態による制御装置などの機能ブロック図である。
【図５】本発明の一実施形態による管理テーブルの一例を示す図である。
【図６】本発明の一実施形態によるくじ引きシステムの処理フローを示す図である。
【図７】本発明の一実施形態による現金自動預払機に備わる制御装置の最小構成を示す図である。
【発明を実施するための形態】
【００１４】
以下、本発明の一実施形態による現金自動預払機を備えたくじ引きシステムを、図１〜図７を参照して説明する。
図１は本発明の一実施形態によるくじ引きシステムの概要を示す図である。
図１に示すようにくじ引きシステム１００は、現金自動預払機１と、携帯端末２と、ＰＯＳシステム３と、専用サーバ４と、ポイントカードシステム５とを含む。
くじ引きシステム１００は、店舗のレジで顧客にくじ引きサービスを提供するシステムである。くじ引きシステム１００は、店員のくじ引きサービス提供に要する作業負担や拘束時間を軽減し、レジの稼働率を低下させることなく、顧客にくじ引きサービスを提供する。以下に説明するように、本実施形態のくじ引きシステム１００を用いると、顧客は、現金自動預払機１を用いてくじ引きを行い、当選した商品を自分で探しレジに持ち込む。
【００１５】
現金自動預払機１は、次に図２で説明するように、レジで発行されたくじ引きの抽選券情報を読み取る各種機能を備えている。また、現金自動預払機１は、くじ引き処理を行う制御装置１０を内蔵している。現金自動預払機１は、顧客の顔を撮影する第一カメラ５１や、顧客を含み当該顧客の後方や当該顧客の両脇を画角内に含んで撮影を行う第二カメラ５２を備えていてもよい。
【００１６】
携帯端末２は、くじ引きの抽選券情報を記憶するための情報処理装置である。携帯端末２は、ＮＦＣ（Near Field Communication：近距離無線通信）やBluetooth（登録商標）等の通信手段を有している。携帯端末２は、これらの通信手段を利用して抽選券情報をレジ端末３Ｂから受信し、受信した抽選券情報を、現金自動預払機１へ送信する。あるいは、携帯端末２は、抽選券情報をＱＲコード（登録商標）等にコード化し、出力する機能を有していてもよい。
【００１７】
ＰＯＳシステム３は、くじ引きの抽選券情報を発行する。また、現金自動預払機１によるくじ引き処理の結果、ある商品が当選したときには、その商品の引き換え時に在庫処理を行う。ＰＯＳシステム３は、ＰＯＳサーバ３Ａとレジ端末３Ｂを含む。ＰＯＳサーバ３Ａは抽選券情報を生成し、レジ端末３Ｂは抽選券情報をレシートや携帯端末２へ出力する。また、くじ引きが当選すると、レジ端末３Ｂは当選した商品のＩＤ（identification）をバーコードリーダ等で読み取り、ＰＯＳサーバ３Ａは当選した商品の在庫管理を行う。
【００１８】
専用サーバ４は、ＰＯＳシステム３による抽選券情報の発行や、現金自動預払機１によるくじ引き処理を管理する。例えば、専用サーバ４は、ある抽選券情報が発行された時刻や発行を行ったレジ端末３ＢのＩＤ、その抽選券情報でくじ引き処理が行われた時刻、くじ引き処理を行った現金自動預払機１のＩＤ、当選した商品のＩＤ、その商品の引き換えを行った時刻、引き換えを行った店舗のＩＤなどを対応付けて記憶する。
【００１９】
ポイントカードシステム５は、くじ引きの結果、商品ではなくポイントカードのポイントが当選した場合に、顧客のポイントカードに付与されるポイントを管理するシステムである。
現金自動預払機１とＰＯＳサーバ３Ａと専用サーバ４との間、ＰＯＳサーバ３Ａとレジ端末３Ｂとの間は通信接続されている。現金自動預払機１とポイントカードシステム５の間、ＰＯＳサーバ３Ａとポイントカードシステム５の間は通信接続されている。
【００２０】
図２は、本発明の一実施形態による現金自動預払機のインタフェースの一部を示す図である。
図２に示すように現金自動預払機１は、メインディスプレイ１１、ＮＦＣアンテナ１２、小型ディスプレイ１３、コードリーダ１４、第三カメラ１５、貨幣投入口１６、カード投入口１７、レシート排出口１８等を備える。なお、図２には図示していないが、現金自動預払機１はその他のハードウェア構成として、上記した第一カメラ５１や第二カメラ５２のほか、メインディスプレイ１１の上方に設けられたサブディスプレイ、スピーカ、テンキー、などが設けられている。また、現金自動預払機１は、Bluetooth（登録商標）、ＬＡＮ（local area network）等により携帯端末２、専用サーバ４、ポイントカードシステム５と通信する機能を備えている。説明の便宜上、これらの詳細な説明は省略する。コードリーダ１４、ＮＦＣアンテナ１２は、コード読取装置の一態様である。
【００２１】
メインディスプレイ１１には、操作の案内画面等が表示される。
ＮＦＣアンテナ１２は、メインディスプレイ１１の下方に設けられた水平台座部９１に内蔵されている。
小型ディスプレイ１３は、水平台座部９１の水平な台座面に設けられている。小型ディスプレイ１３はＩＣカード等を水平台座部９１に載置させるための案内画面を表示する。
コードリーダ１４は、水平台座部９１の台座面に載置された紙媒体（抽選券となるレシート及び当選券）や携帯端末２の表示するコード情報を読み取る。コード情報はバーコードや二次元コード等であってよい。
第三カメラ１５は、水平台座部９１の台座面に載置されたカード等の撮影対象を撮影する。
貨幣投入口１６は本実施形態においては紙幣が投入される投入口である。
カード投入口１７はクレジットカード、銀行カード、その他ＩＣカードを引き込むとともに、それらカードに記録された情報に基づく処理が完了したのちに当該カードを排出する。
レシート排出口１８はくじ引き処理結果等を印字したレシート（当選券）を排出する。
【００２２】
図３は、本発明の一実施形態による現金自動預払機の制御装置のハードウェア構成図である。
この図が示すように制御装置１０はＣＰＵ（Central Processing Unit）１０−１、ＲＯＭ（Read Only Memory）１０−２、ＲＡＭ（Random Access Memory）１０−３、ＨＤＤ（Hard Disk Drive）１０−４、通信モジュール１０−５等の各ハードウェアを備えたコンピュータである。制御装置１０は、上述した各ハードウェアを制御する。
【００２３】
図４は、本発明の一実施形態による制御装置などの機能ブロック図である。
制御装置１０は、現金自動預払機１に電源が投入されると起動し、予め記憶するプログラムを実行する。これにより制御装置１０には、制御部１０１、抽選券情報取得部１０２、くじ引き処理部１０３、結果情報出力部１０４、カード処理部１０５、通信部１０６、記憶部１０７等の機能部が備わる。なお、ここでは、制御装置１０が有するくじ引き処理に関する説明のみを行い、現金自動預払機１が有する他の機能（例えば、現金の入出処理など）に関する説明は省略する。
【００２４】
制御部１０１は、従来の現金自動預払機１の制御のほか、他の機能部の制御、くじ引き処理の制御などを行う。
抽選券情報取得部１０２は、レシートに印字された抽選券情報や携帯端末２が記憶する抽選券情報を取得する。例えば、顧客がレシートをコードリーダ１４に向ける。すると、抽選券情報取得部１０２は、コードリーダ１４が読み取った抽選券情報を取得する。また、例えば、顧客が携帯端末２のディスプレイにＱＲコード等にコード化した抽選券情報を表示させた状態で、そのディスプレイをコードリーダ１４に向ける。すると、抽選券情報取得部１０２は、コードリーダ１４が読み取った抽選券情報を取得する。あるいは、顧客が携帯端末２を、水平台座部９１に近接させると、ＮＦＣアンテナ１２を介して携帯端末２から抽選券情報を取得する。あるいは、抽選券情報取得部１０２は、Bluetooth（登録商標）を用いて携帯端末２と通信を行い、携帯端末２から抽選券情報を取得してもよい。
【００２５】
くじ引き処理部１０３は、くじ引き処理を行う。例えば、くじ引き処理部１０３は、乱数を発生させ、発生させた乱数が、予め商品やポイントカード等のポイントと対応付けて定められた数（当選ナンバー）と一致した場合、くじ引きが当選したとして、一致した当選ナンバーに対応する商品のＩＤや付与されるポイント数などを結果情報出力部１０４に出力する。一致しない場合は、くじ引きにはずれたことを示すはずれ情報を結果情報出力部１０４に出力する。
【００２６】
結果情報出力部１０４は、くじ引き処理部１０３によるくじ引き処理の結果を出力する。例えば、くじ引き処理の結果が当選の場合、結果情報出力部１０４は、当選した商品のＩＤを含むくじ引き結果情報が印字された当選券をレシート排出口１８から出力する。あるいは、結果情報出力部１０４は、メインディスプレイ１１に当選したことを表示するとともに、当選商品のＩＤなどを含むくじ引き結果情報を、ＮＦＣやBluetooth（登録商標）を用いて携帯端末２に送信する。くじ引き結果情報には、当選した商品情報の他、くじ引き処理を行った現金自動預払機１のＩＤ、店舗のＩＤ、くじ引き処理を行った時刻などが含まれていてもよい。また、くじ引き処理の結果、はずれの場合、結果情報出力部１０４は、メインディスプレイ１１に外れたことを通知する情報を表示する。
また、結果情報出力部１０４は、くじ引き結果情報を、通信部１０６を介して専用サーバ４へ送信する。
【００２７】
カード処理部１０５は、顧客のポイントカードにくじ引きで当ったポイントを付与する処理を行う。
通信部１０６は、ＰＯＳシステム３、専用サーバ４、ポイントカードシステム５等との通信を行う。
記憶部１０７は、制御部１０１などの各機能を発揮するプログラムや、くじ引き処理に必要な種々の情報を記憶する。
【００２８】
次に抽選券情報を発行するＰＯＳシステム３について説明する。
ＰＯＳシステム３は、抽選券情報生成部３０１、出力部３０２、読取部３０３、カード処理部３０４、在庫処理部３０５、通信部３０６を備えている。ＰＯＳシステム３についても、くじ引き処理に関する機能の説明のみを行い、他の機能の説明は省略する。
抽選券情報生成部３０１は、顧客が購入した商品の合計金額が所定の値以上の場合、抽選券情報を生成する。抽選券情報には、少なくとも顧客の商品の会計を行っているレジ端末３ＢのＩＤ（レジ端末ＩＤ）が含まれる。抽選券情報には、レジ端末ＩＤの他、抽選券情報を生成した時刻（発行時刻）や当該レジ端末が設けられた店舗のＩＤ（店舗ＩＤ）が含まれていてもよい。抽選券情報生成部３０１は、例えば、ＰＯＳサーバ３Ａの機能である。
【００２９】
出力部３０２は、抽選券情報生成部３０１が生成した抽選券情報をコード化して会計情報とともにレシートに印字して出力する。あるいは、出力部３０２は、レジ端末３Ｂが備えるＮＦＣリードライト装置を通じて顧客の携帯端末２へ抽選券情報を送信する。出力部３０２は、例えば、レジ端末３Ｂの機能である。
読取部３０３は、現金自動預払機１が出力した当選券情報を読み取る。当選券情報には、当選した商品のＩＤや付与ポイント数の情報が含まれる。例えば、読取部３０３は、レジ端末３Ｂが備えるバーコードリーダで、当選券に印字されたコード化された当選券情報を読み取る。あるいは、読取部３０３は、レジ端末３Ｂが備えるＮＦＣリードライト装置を通じて顧客の携帯端末２から当選券情報を読み取る。
【００３０】
カード処理部３０４は、顧客のポイントカードにくじ引きで当選したポイントを付与する処理を行う。
在庫処理部３０５は、くじ引きで当選した商品在庫の引き当て処理などを行う。
通信部３０６は、専用サーバ４やポイントカードシステム５との通信を行う。
【００３１】
次に抽選券情報や当選券情報の管理を行う専用サーバ４について説明する。
専用サーバ４は、登録部４０１、通信部４０２、記憶部４０３を備える。
登録部４０１は、抽選券情報が出力されると、その抽選券情報の発行時刻、レジ端末ＩＤ、店舗ＩＤを図５で例示する管理テーブルに記録する。また、現金自動預払機１でくじ引き処理が行われると、その現金自動預払機１のＩＤや設置店舗のＩＤ、くじ引き処理が行われた時刻や結果を管理テーブルに記録する。また、顧客が当選券を使って商品との引き換えを行うと、その商品のＩＤ（又はポイントカードの種類と付与されるポイント数）、引き換えを行ったレジ端末３Ｂの端末ＩＤ（現金自動預払機１でポイントの付与を行った場合は、当該現金自動預払機１のＩＤ）、商品との引き換えを行った時刻などの情報を管理テーブルに記録する。
通信部４０２は、現金自動預払機１やＰＯＳシステム３との通信を行う。
記憶部４０３は、図５に例示する管理テーブルの情報などを記憶する。
【００３２】
図５は、本発明の一実施形態による管理テーブルの一例を示す図である。
図５に専用サーバ４が記憶する管理テーブルの例を示す。
顧客が、所定の金額以上、商品を購入すると、ＰＯＳシステム３が抽選券情報を発行する。管理テーブルの「抽選券ＩＤ」には、抽選券情報の識別情報が記録される。大項目「レジ端末」の「端末ＩＤ」には、抽選券情報を出力したレジ端末３Ｂの端末ＩＤが記録される。「レジ端末」の「店舗ＩＤ」には、抽選券情報を出力したレジ端末３Ｂが設置された店舗のＩＤが記録される。「レジ端末」の「時刻」には、抽選券情報の発行時刻が記録される。
【００３３】
本実施形態では、抽選券情報が出力されると、顧客が、その抽選券情報を現金自動預払機１に読み取らせて、現金自動預払機１にくじ引き処理を行わせる。大項目「現金自動預払機」の「装置ＩＤ」には、くじ引き処理を行った現金自動預払機１のＩＤ（装置ＩＤ）が記録される。「現金自動預払機」の「店舗ＩＤ」には、くじ引き処理を行った現金自動預払機１が設置された店舗のＩＤが記録される。「現金自動預払機」の「時刻」には、くじ引き処理を行った時刻が記録される。「現金自動預払機」の「結果」には、くじ引き処理の結果情報が記録される。
【００３４】
本実施形態では、現金自動預払機１を使ったくじ引き処理の結果が当選の場合、顧客が自分自身で当選した商品を探し店舗のレジへ持っていく。レジの店員は、当選券と持ち込まれた商品の情報をバーコードで読み取って両者が一致するかどうかを確かめる。大項目「引き換え」の「端末ＩＤ」には、当選券と商品の引き換えを行ったレジ端末３Ｂの端末ＩＤが記録される。「引き換え」の「店舗ＩＤ」には、引き換えを行ったレジ端末３Ｂが設置された店舗が存在する地域が記録される。「引き換え」の「時刻」には、引き換えを行った時刻が記録される。
【００３５】
次に本実施形態のくじ引き処理の流れについて説明する。
図６は、本発明の一実施形態によるくじ引きシステムの処理フローを示す図である。
まず、顧客が商品をレジへ持ち込み会計を行う。レジ端末３Ｂは、店員の操作により会計処理を行う（ステップＳ６０１）。抽選券情報生成部３０１は、合計金額に応じて、くじ引きの抽選券情報を出力する（ステップＳ６０２）。例えば、抽選券情報生成部３０１は、顧客による商品の購入金額の合計が７００円以上であれば、抽選券情報を出力する。抽選券情報には、抽選券情報のＩＤ、当該会計処理を行っているレジ端末３Ｂのレジ端末ＩＤ、抽選券情報の発行時刻、レジ端末３Ｂが設けられた店舗情報が含まれている。抽選券情報は、レシートにＱＲコードや二次元バーコードの形式にコード化されて印字され、レジ端末３Ｂから出力される。店員は、抽選券情報が印字されたレシートを顧客に渡す。
なお、抽選券情報の発行の条件は、購入した商品の合計額のほか、例えば、特定の商品を所定の数量以上購入すると発行されてもよい。
【００３６】
または、抽選券情報は、レジ端末３Ｂに設けられたＮＦＣリードライト装置を介して、顧客の携帯端末２へ送信されてもよい。携帯端末２は抽選券情報を受信して記憶する。
【００３７】
抽選券情報を出力すると、通信部３０６は、抽選券情報を専用サーバ４へ送信する。専用サーバ４は、抽選券情報に含まれる抽選券情報のＩＤ、レジ端末ＩＤ、店舗ＩＤ、発行時刻をそれぞれ、管理テーブルの「抽選券ＩＤ」、大項目「レジ端末」の「端末ＩＤ」、「店舗ＩＤ」、「時刻」に登録する。
【００３８】
顧客は、抽選券情報が印字されたレシート又は携帯端末２を現金自動預払機１まで持参し、くじ引きを行う。例えば、顧客がメインディスプレイ１１に表示されたメニューから「くじ引き」を選択する。すると、制御部１０１が、メインディスプレイ１１に、レシートの印字面を上向きにして水平台座部９１に載置することを促す表示を行う。顧客は、レシートを水平台座部９１に載置する。すると、コードリーダ１４が抽選券情報を含むＱＲコードやバーコードを読み取って、抽選券情報取得部１０２にその内容を出力する。あるいは、制御部１０１が、メインディスプレイ１１に携帯端末２を水平台座部９１に載置することを促す表示を行う。顧客は、例えば、くじ引き処理用のアプリケーションを起動して携帯端末２を水平台座部９１に載置する。すると、ＮＦＣアンテナ１２と携帯端末２が通信を開始し、抽選券情報取得部１０２が、携帯端末２が記憶する抽選券情報を取得する（ステップＳ６０３）。あるいは、抽選券情報は、Bluetooth（登録商標）によって携帯端末２から現金自動預払機１へ送信されてもよい。抽選券情報取得部１０２は、取得した抽選券情報をくじ引き処理部１０３へ出力する。
【００３９】
次にくじ引き処理部１０３が、抽選券情報が有効かどうかを判定する（ステップＳ６０４）。まず、くじ引き処理部１０３は、抽選券情報に含まれるレジ端末３Ｂの端末ＩＤが有効かどうかを判定する。例えば、記憶部１０７には、全店舗のレジ端末の端末ＩＤが登録されていて、くじ引き処理部１０３は、抽選券情報に含まれる端末ＩＤがこれらの中に存在するかどうか検索して、存在しない場合は、抽選券情報は無効であると判定してもよい。あるいは、くじ引き処理部１０３は、抽選券情報に含まれる抽選券のＩＤと端末ＩＤを用いて、専用サーバ４の管理テーブルを参照し、管理テーブルに同じ抽選券のＩＤと端末ＩＤを有するデータが存在しない場合、抽選券情報は無効であると判定してもよい。端末ＩＤによるチェックを行うことで、例えば、抽選券情報が偽造されたものではないことをチェックすることができる。
【００４０】
また、くじ引き処理部１０３は、抽選券情報に含まれる発行時刻や店舗ＩＤに基づいて、抽選券情報が有効か否かを判定してもよい。
例えば、くじ引き処理を行う現金自動預払機１は、抽選券情報を出力したレジ端末３Ｂと同じ店舗に設置されたものであってもよいし、他の店舗に設置されたものであってもよい。店舗がコンビニエンスストアなどの場合、店舗のオーナー企業が全国規模でくじ引きサービスを行うのであれば、出力された抽選券情報を、全国の店舗で有効とすることができる。また、ある地域に存在する店舗の売上増加を目的とする場合、抽選券情報を目的の地域に存在する店舗の間だけで有効とすることができる。また、抽選券情報の発行とくじ引き処理を同じ店舗だけで有効とするように制限してもよい。
【００４１】
また、抽選券情報の有効期間が設定されていてもよい。例えば、抽選券情報の有効期限は、発行時刻から数時間以内に設定されていてもよい。または、季節やイベント等に合わせてくじ引きサービスを行う場合、１週間〜１カ月などの有効期限が設定されていてもよい。
【００４２】
記憶部１０７には、抽選券情報を有効とする店舗ＩＤや期間の情報が予め登録されている。くじ引き処理部１０３は、この条件に基づいて、抽選券情報の有効かどうかを判定する。あるいは、記憶部１０７には、抽選券情報を有効とする期間の長さに応じて、有効とする店舗ＩＤや地域が定められていてもよい。例えば、発行時刻から数時間以内は同じ県内の店舗のみ有効とし、発行時刻からの経過時間に応じて有効となる店舗の範囲が拡大するように定められていてもよい。このように設定すると、例えば、北海道の店舗で抽選券情報を発行して、１時間後に九州の店舗でくじ引き処理を行おうとしても（このような状況は不自然で何らかの不正が疑われる）、くじ引き処理を実行できないようにすることができる。くじ引き処理部１０３は、抽選券情報が有効か否かの判定結果を制御部１０１に出力する。
【００４３】
抽選券情報が無効と判定された場合（ステップＳ６０４；Ｎｏ）、制御部１０１は、くじ引きを中止する処理を行う（ステップＳ６０５）。例えば、制御部１０１は、メインディスプレイ１１に、「このくじ引き券は使用できません。」等の表示を行う。
【００４４】
抽選券情報が有効な場合（ステップＳ６０４；Ｙｅｓ）、制御部１０１は、メインディスプレイ１１に、「くじ引きを開始します。開始ボタンを押してください」等のメッセージと共に「開始ボタン」の表示を行い、顧客に開始ボタンの押下を促す。顧客が開始ボタンを押下すると、くじ引き処理部１０３がくじ引き処理を実行する（ステップＳ６０６）。くじ引き処理には、公知の様々なアルゴリズムを用いることができる。くじ引き処理が終了すると、くじ引き処理部１０３は、くじ引き結果情報を結果情報出力部１０４へ出力する。くじ引き結果情報には、当選したか否かのくじ引き結果の他、当選した場合は、当選した商品のＩＤ、当選した付与ポイントの情報が含まれる。
【００４５】
また、くじ引き処理を行うと、通信部１０６は、読み取った抽選券情報の抽選券ＩＤ、自装置（くじ引き処理を行った現金自動預払機１）の装置ＩＤ、くじ引き処理を行った時刻、自装置が設置された店舗の店舗ＩＤ、くじ引き結果情報を専用サーバ４へ送信する。専用サーバ４では登録部４０１が、管理テーブルの抽選券ＩＤが一致するデータを特定し、特定したデータの大項目「現金自動預払機」の「装置ＩＤ」、「店舗ＩＤ」、「時刻」、「結果」の各項目に取得した情報を登録する。
【００４６】
次に結果情報出力部１０４は、くじ引き結果情報を出力する（ステップＳ６０７）。例えば、くじ引きが外れの場合、結果情報出力部１０４は、メインディスプレイ１１にくじ引きの結果がはずれであったこと示す情報を表示する。また、例えば、結果情報出力部１０４は、ＱＲコード等でコード化されたくじ引き結果情報が印字された当選券をレシート排出口１８から排出する。または、結果情報出力部１０４が、メインディスプレイ１１に携帯端末２を水平台座部９１に載置することを促す表示を行い、結果情報出力部１０４は、くじ引き結果情報を、ＮＦＣアンテナ１２を介して携帯端末２に送信してもよい。また、結果情報出力部１０４は、Bluetooth（登録商標）によって、くじ引き結果情報を携帯端末２に送信してもよい。
【００４７】
くじ引き結果情報が出力されると、顧客は、くじ引き結果情報に指定された商品を自ら探しだし、レジへ持参する。レジ端末３Ｂでは、読取部３０３が、バーコードリーダによって当選券のバーコードから当選した商品のＩＤと抽選券ＩＤとを読み取る。あるいは、読取部３０３が、ＮＦＣリードライト装置を介して、携帯端末２から当選した商品のＩＤと抽選券ＩＤとを読み取る。また、店員が、バーコードリーダを用いて、顧客が持参した商品のタグから商品ＩＤを読み取る。店員は、当選券に記載された商品ＩＤと顧客が持参した商品が一致することを確認する。読取部３０３は、読み取った商品ＩＤを在庫処理部３０５に出力する。在庫処理部３０５は、その商品ＩＤに基づいて当選した商品の在庫数を更新する。
【００４８】
また、ポイントカードのポイントが当選した場合、顧客は、当選券の印字面を上向きにして水平台座部９１に載置する。すると、コードリーダ１４が当選券から付与ポイント数を読み取って、カード処理部１０５へ出力する。また、顧客は、ポイントカードを現金自動預払機１のカード投入口１７へ投入する。すると、カード処理部１０５が、投入されたポイントカードのＩＤとコードリーダ１４が読取った付与ポイントをポイントカードシステム５へ送信し、ポイントカードシステム５が、顧客のポイントカードの累積ポイントに当選した付与ポイントを加算する。
なお、携帯端末２にくじ引き結果情報を受信した場合、ユーザは、くじ引きによって付与されたポイントの情報を、ＮＦＣ又はBluetooth（登録商標）によって現金自動預払機１へ送信することができる。
【００４９】
また、ポイントが当選した場合、レジで店員がポイント付与処理を行ってもよい。例えば、顧客は店員に当選券とポイントカードを渡す。店員は、当選券からバーコードリーダ等で付与ポイント数を読み取る。一方、店員は、ポイントカードのＩＤ等をカードリーダで読み取る。すると、カード処理部３０４が、ポイントカードのＩＤと付与ポイントをポイントカードシステム５へ送信し、ポイントカードシステム５が、顧客のポイントカードの累積ポイントに当選した付与ポイントを加算する。
【００５０】
また、通信部３０６は、商品の引き換えを行ったレジ端末３Ｂの端末ＩＤ、店舗ＩＤ、バーコードリーダ等で抽選券からくじ引き結果情報を読み取った時刻、当選した商品のＩＤを専用サーバ４へ送信する。専用サーバ４では登録部４０１が、管理テーブルの抽選券ＩＤが一致するデータを特定し、特定したデータの大項目「引き換え」の「端末ＩＤ」、「店舗ＩＤ」、「時刻」、「商品ＩＤ」の各項目に取得した情報を登録する。
【００５１】
本実施形態によれば、顧客が商品の会計時に入手したレシートの抽選券情報と、店舗に設置された現金自動預払機１を用いて自分自身でくじ引きを行い、当選した場合は、当選した商品を自分で探してレジで引き換えを行う。これにより、レジ端末３Ｂでくじを引く時間や、店員が商品を探して取ってくる時間を削減することができる。また、顧客のレジでの待ち時間や店員の作業負担を低減することができる。また、一般的なくじ引き方法ではくじ引きの景品交換にレジの効率を妨げられる可能性があったが、本実施形態によれば、店員を拘束せず、レジの稼働率を維持することができるため、店舗側はくじ引きサービスの実施によって顧客の呼び込みや購買意欲の向上、それによる売り上げの増加を図ることができる。また、当選した商品を探す間、顧客が他の商品（例えば、当選した商品と関係する商品など）を購入する可能性があり、売り上げの向上を見込むことができる。
【００５２】
図７は現金自動預払機に備わる制御装置の最小構成を示す図である。
この図が示すように現金自動預払機１に備わる制御装置１０は、少なくとも抽選券情報取得部１０２と、くじ引き処理部１０３と、結果情報出力部１０４を備えればよい。
【００５３】
上述の現金自動預払機１は内部に、コンピュータシステム（制御装置１０）を有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５５】
なお、結果情報出力部１０４は、対価情報出力部の一例である。当選した商品のＩＤや付与ポイントは、対価情報の一例である。レシートや携帯端末２は抽選券情報記憶媒体の一例である。くじ引き処理は対価情報割当処理の一例である。くじ引き処理部１０３は対価情報割当処理部の一例である。
また、本実施形態の制御装置１０を搭載する装置は、現金自動預払機に限定されず、任意の端末装置であってよい。現金自動預払機１は、端末装置の一例である。
【００５６】
上記の実施形態の一部又は全部は、以下の付記のようにも記載されうるが、以下には限らない。
【００５７】
（付記１）
抽選券情報記憶媒体から、くじ引きの抽選権を有することを示す抽選券情報を取得する抽選券情報取得部と、
前記抽選券情報が有効な場合、対価情報を顧客に割り当てる対価情報割当処理を行う対価情報割当処理部と、
前記対価情報割当処理によって特定した対価情報を出力する対価情報出力部と、
を備える端末装置。
【００５８】
（付記２）
前記対価情報割当処理部は、前記抽選券情報に含まれる前記抽選券情報を生成したレジ端末の識別情報に基づいて前記抽選券情報が有効か否かを判定する、
付記１に記載の端末装置。
【００５９】
（付記３）
前記対価情報割当処理部は、前記抽選券情報に含まれる抽選券情報を出力した時刻および場所の情報のうち少なくとも一方に基づいて、前記対価情報割当処理を行うか否かを判定する、
付記１または付記２に記載の端末装置。
【００６０】
（付記４）
前記抽選券情報取得部は、レジ端末が発行した紙媒体に表示された前記抽選券情報を読みとる、
付記１から付記３の何れか１つに記載の端末装置。
【００６１】
（付記５）
前記抽選券情報取得部は、携帯端末から前記抽選券情報を読みとる、
付記１から付記４の何れか１つに記載の端末装置。
【００６２】
（付記６）
前記対価情報出力部は、商品の識別情報または付与ポイントを、前記対価情報として出力する、
付記１から付記５の何れか１つに記載の端末装置。
【００６３】
（付記７）
抽選券情報記憶媒体から、くじ引きの抽選権を有することを示す抽選券情報を取得する抽選券情報取得部と、
前記抽選券情報が有効な場合、対価情報を顧客に割り当てる対価情報割当処理を行う対価情報割当処理部と、
前記対価情報割当処理によって特定した対価情報を出力する対価情報出力部と、
を備える現金自動預払機。
【００６４】
（付記８）
前記抽選券情報を、前記抽選券情報記憶媒体へ出力するレジ端末と、
付記１から付記６の何れか１項に記載の端末装置と、
を含むくじ引きシステム。
【００６５】
（付記９）
自端末の識別情報と、くじ引きの抽選権を有することを示す抽選券情報とを抽選券情報記憶媒体に出力する、レジ端末。
【００６６】
（付記１０）
抽選券情報記憶媒体から、くじ引きの抽選権を有することを示す抽選券情報を取得するステップと、
前記抽選券情報が有効な場合、対価情報を顧客に割り当てる対価情報割当処理を行うステップと、
前記対価情報割当処理によって特定した対価情報を出力するステップと、
を有する端末装置によるくじ引き処理方法。
【００６７】
（付記１１）
端末装置のコンピュータを、
抽選券情報記憶媒体から、くじ引きの抽選権を有することを示す抽選券情報を取得する手段、
前記抽選券情報が有効な場合、対価情報を顧客に割り当てる対価情報割当処理を行う手段、
前記対価情報割当処理によって特定した対価情報を出力する手段、
として機能させるためのプログラム。
【符号の説明】
【００６８】
１・・・現金自動預払機
２・・・携帯端末
３・・・ＰＯＳシステム
３Ａ・・・ＰＯＳサーバ
３Ｂ・・・レジ端末
４・・・専用サーバ
５１・・・第一カメラ
５２・・・第二カメラ
１０・・・制御装置
１１・・・メインディスプレイ
１２・・・ＮＦＣアンテナ
１３・・・小型ディスプレイ
１４・・・コードリーダ
１５・・・第三カメラ
１６・・・貨幣投入口
１７・・・カード投入口
１８・・・レシート排出口
１０１・・・制御部
１０２・・・抽選券情報取得部
１０３・・・くじ引き処理部
１０４・・・結果情報出力部
１０５・・・カード処理部
１０６・・・通信部
１０７・・・記憶部
３０１・・・抽選券情報生成部
３０２・・・出力部
３０３・・・読取部
３０４・・・カード処理部
３０５・・・在庫処理部
３０６・・・通信部
４０１・・・登録部
４０２・・・通信部
４０３・・・記憶部
【図１】
2019105999.tif 000003
【図２】
2019105999.tif 000004
【図３】
2019105999.tif 000005
【図４】
2019105999.tif 000006
【図５】
2019105999.tif 000007
【図６】
2019105999.tif 000008
【図７】
2019105999.tif 000009
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
抽選券情報記憶媒体から、くじ引きの抽選権を有することを示す抽選券情報を読み取るコード読取装置と、
前記抽選券情報に基づいて、対価情報を顧客に割り当てる対価情報割当処理を行う制御装置と、
前記対価情報割当処理の結果を表示する表示装置と、
前記対価情報割当処理の結果が当選の場合に、利用者に提供する前記対価情報を所定の記憶媒体に記録する出力装置と、
を備え、
前記制御装置は、
前記抽選券情報を取得する抽選券情報取得部と、
前記抽選券情報が有効な場合、前記対価情報割当処理を行う対価情報割当処理部と、
前記対価情報割当処理によって特定した前記対価情報を、前記出力装置を介して出力する対価情報出力部と、
を備える現金自動預払機。
【請求項２】
前記対価情報割当処理部は、前記抽選券情報に含まれる前記抽選券情報を生成したレジ端末の識別情報に基づいて前記抽選券情報が有効か否かを判定する、
請求項１に記載の現金自動預払機。
【請求項３】
前記対価情報割当処理部は、前記抽選券情報に含まれる抽選券情報を出力した時刻および場所の情報のうち少なくとも一方に基づいて、前記対価情報割当処理を行うか否かを判定する、
請求項１または請求項２に記載の現金自動預払機。
【請求項４】
前記コード読取装置は、レジ端末が発行した紙媒体に表示された前記抽選券情報を読みとる、
請求項１から請求項３の何れか１項に記載の現金自動預払機。
【請求項５】
前記コード読取装置は、携帯端末から前記抽選券情報を読みとる、
請求項１から請求項４の何れか１項に記載の現金自動預払機。
【請求項６】
前記コード読取装置は、コードリーダ又はＮＦＣアンテナである、
請求項１から請求項３の何れか1項に記載の現金自動預払機。
【請求項７】
前記出力装置は、レシート排出口又はＮＦＣアンテナである、
請求項１から請求項６の何れか1項に記載の現金自動預払機。
【請求項８】
前記抽選券情報を、前記抽選券情報記憶媒体へ出力するレジ端末と、
請求項１から請求項７の何れか１項に記載の現金自動預払機と、
を含むくじ引きシステム。
【請求項９】
抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備える現金自動預払機が、
前記抽選券情報記憶媒体から、前記抽選券情報を取得するステップと、
前記抽選券情報が有効な場合、前記対価情報割当処理を行うステップと、
前記対価情報割当処理によって特定した前記対価情報を前記出力装置を介して出力するステップと、
を有するくじ引き処理方法。
【手続補正３】
【補正対象書類名】明細書
【補正対象項目名】０００１
【補正方法】変更
【補正の内容】
【０００１】
本発明は、現金自動預払機、くじ引きシステム及びくじ引き処理方法に関する。
【手続補正４】
【補正対象書類名】明細書
【補正対象項目名】０００５
【補正方法】変更
【補正の内容】
【０００５】
そこでこの発明は、上述の課題を解決する、現金自動預払機、くじ引きシステム及びくじ引き処理方法を提供することを目的としている。
【手続補正５】
【補正対象書類名】明細書
【補正対象項目名】０００６
【補正方法】変更
【補正の内容】
【０００６】
本発明の第１の態様によれば、現金自動預払機は、抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備え、前記制御装置は、前記抽選券情報を取得する抽選券情報取得部と、前記抽選券情報が有効な場合、前記対価情報割当処理を行う対価情報割当処理部と、前記対価情報割当処理によって特定した前記対価情報を、前記出力装置を介して出力する対価情報出力部と、を備える。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の第２の態様によれば、くじ引きシステムは、前記抽選券情報を前記抽選券情報記憶媒体へ出力するレジ端末と、上記の現金自動預払機と、を含む。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の第３の態様によれば、くじ引き処理方法は、抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備える現金自動預払機が、抽選券情報記憶媒体から、前記抽選券情報を取得するステップと、前記抽選券情報が有効な場合、前記対価情報割当処理を行うステップと、前記対価情報割当処理によって特定した前記対価情報を前記出力装置を介して出力するステップと、を有する。
【手続補正１０】
【補正対象書類名】明細書
【補正対象項目名】００１１
【補正方法】削除
【補正の内容】
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
抽選券情報記憶媒体から、くじ引きの抽選権を有することを示す抽選券情報を読み取るコード読取装置と、
前記抽選券情報に基づいて、対価情報を顧客に割り当てる対価情報割当処理を行う制御装置と、
前記対価情報割当処理の結果を表示する表示装置と、
前記対価情報割当処理の結果が当選の場合に、利用者に提供する前記対価情報を所定の記憶媒体に記録する出力装置と、
を備え、
前記制御装置は、
前記抽選券情報を取得する抽選券情報取得部と、
前記抽選券情報が有効な場合、前記対価情報割当処理を行う対価情報割当処理部と、
前記対価情報割当処理によって特定した前記対価情報を、前記出力装置を介して出力する対価情報出力部と、
を備え、
前記コード読取装置と、前記表示装置と、前記出力装置の各々がインタフェースとして設けられた、現金自動預払機。
【請求項２】
前記対価情報割当処理部は、前記抽選券情報に含まれる前記抽選券情報を生成したレジ端末の識別情報に基づいて前記抽選券情報が有効か否かを判定する、
請求項１に記載の現金自動預払機。
【請求項３】
前記対価情報割当処理部は、前記抽選券情報に含まれる抽選券情報を出力した時刻および場所の情報のうち少なくとも一方に基づいて、前記対価情報割当処理を行うか否かを判定する、
請求項１または請求項２に記載の現金自動預払機。
【請求項４】
前記コード読取装置は、レジ端末が発行した紙媒体に表示された前記抽選券情報を読みとる、
請求項１から請求項３の何れか１項に記載の現金自動預払機。
【請求項５】
前記コード読取装置は、携帯端末から前記抽選券情報を読みとる、
請求項１から請求項４の何れか１項に記載の現金自動預払機。
【請求項６】
前記コード読取装置は、コードリーダ又はＮＦＣアンテナである、
請求項１から請求項３の何れか1項に記載の現金自動預払機。
【請求項７】
前記出力装置は、レシート排出口又はＮＦＣアンテナである、
請求項１から請求項６の何れか1項に記載の現金自動預払機。
【請求項８】
前記抽選券情報を、前記抽選券情報記憶媒体へ出力するレジ端末と、
請求項１から請求項７の何れか１項に記載の現金自動預払機と、
を含むくじ引きシステム。
【請求項９】
抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備え、前記コード読取装置と、前記表示装置と、前記出力装置の各々がインタフェースとして設けられた現金自動預払機が、
前記抽選券情報記憶媒体から、前記抽選券情報を取得するステップと、
前記抽選券情報が有効な場合、前記対価情報割当処理を行うステップと、
前記対価情報割当処理によって特定した前記対価情報を前記出力装置を介して出力するステップと、
を有するくじ引き処理方法。
【手続補正２】
【補正対象書類名】明細書
【補正対象項目名】０００６
【補正方法】変更
【補正の内容】
【０００６】
本発明の第１の態様によれば、現金自動預払機は、抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備え、前記制御装置は、前記抽選券情報を取得する抽選券情報取得部と、前記抽選券情報が有効な場合、前記対価情報割当処理を行う対価情報割当処理部と、前記対価情報割当処理によって特定した前記対価情報を、前記出力装置を介して出力する対価情報出力部と、を備え、前記コード読取装置と、前記表示装置と、前記出力装置の各々がインタフェースとして設けられる。
【手続補正３】
【補正対象書類名】明細書
【補正対象項目名】００１０
【補正方法】変更
【補正の内容】
【００１０】
本発明の第３の態様によれば、くじ引き処理方法は、抽選券情報記憶媒体から、くじ引きの抽選権を有することを示す抽選券情報を読み取るコード読取装置と、前記抽選券情報に基づいて、対価情報を顧客に割り当てる対価情報割当処理を行う制御装置と、前記対価情報割当処理の結果を表示する表示装置と、前記対価情報割当処理の結果が当選の場合に、利用者に提供する前記対価情報を所定の記憶媒体に記録する出力装置と、を備え、前記コード読取装置と、前記表示装置と、前記出力装置の各々がインタフェースとして設けられた現金自動預払機が、抽選券情報記憶媒体から、前記抽選券情報を取得するステップと、前記抽選券情報が有効な場合、前記対価情報割当処理を行うステップと、前記対価情報割当処理によって特定した前記対価情報を前記出力装置を介して出力するステップと、を有する。